(57)【特許請求の範囲】
【請求項１】
未読の電子メール、ウェブ情報、またはステーション情報が存在する場合、表示部の所定の位置に、それぞれ、メールピクト、ウェブ情報ピクト、またはステーション情報ピクトを表示させて、未読の旨を通知する機能を具備した携帯電話機において、
前記未読の電子メール、ウェブ情報、またはステーション情報の存在をそれぞれのピクトに表示することにより、その旨を通知する通知手段と、
電子メール、ウェブ情報、またはステーション情報を受信したとき、
前記通知手段は、
前記メールピクト、ウェブ情報ピクト、またはステーション情報ピクトが点灯表示されていない場合は、前記ピクトを点灯表示し、
前記メールピクト、ウェブ情報ピクト、またはステーション情報ピクトが点灯表示されている場合は、
前記メールピクト、ウェブ情報ピクト、またはステーション情報ピクトのうち、前記受信した情報に対応するピクトを点灯表示から点滅表示へと移行させ、未読の情報がある場合に新たな電子メール、ウェブ情報、またはステーション情報を受信した旨を通知するとともに、
前記受信した情報の確認がなされたとき、またはピクト点滅開始から所定の時間が経過したときには、ピクトの点滅を停止して、前記メールピクト、ウェブ情報ピクト、またはステーション情報ピクトを点灯表示させる、
ことを特徴とする携帯電話機。
【発明の詳細な説明】
【０００１】
【発明の属する技術分野】
本発明は携帯電話機に係り、特に、バックグラウンド処理を実行する機能を有した携帯電話機に関する。
【０００２】
【従来の技術】
一般に、携帯電話機は特定のユーザ操作中（例えば、メール作成時や機能設定時等）に特定の割込みが発生した場合（例えば、メールの着信等）にその割込みに対応する処理を、当該ユーザ操作を妨げないように行う。これを「バックグラウンド処理」という。
従来の携帯電話機では、ユーザ操作中等にバックグラウンド処理を要するイベントが発生した場合、イベントが発生したことをユーザに通知するために、ピクト表示を行っていた。ピクト表示とは、着信音を鳴動したり、画面を切り替えることなく、各種イベントの発生をユーザに通知するための表示機能である。
【０００３】
【発明が解決しようとする課題】
しかしながら、ピクト表示を消去するための操作を行う前に、新たにイベントが発生した場合には、そのピクト状態が上書きされるだけであった。
具体的に説明すると、従来の携帯電話機では、メール作成中や機能設定中にメールを受信した場合、その旨を通知するピクト表示を行い、ユーザが当該メールを確認するまではそのピクトを表示したままにしていた。したがって、ピクト表示中に新たなイベント（例えば、新たなメールの受信）が発生しても、ユーザはその旨を知ることができなかった。
本発明は上記事情に鑑みてなされたもので、端末状態に依らず、バックグランドで処理するイベントの発生をユーザに通知することのできる携帯電話機を提供することを目的とする。
【０００４】
【課題を解決するための手段】
上記課題を解決するため、本願発明は、次のような手段を用いる。
未読の電子メール、ウェブ情報、またはステーション情報が存在する場合、表示部の所定の位置にそれぞれ、メールピクト、ウェブ情報ピクト、またはステーション情報ピクトを表示させて、未読の旨を通知する機能を具備した携帯電話機において、
前記未読の電子メール、ウェブ情報、またはステーション情報の存在をそれぞれのピクトに表示することにより、その旨を通知する通知手段と、
電子メール、ウェブ情報、またはステーション情報を受信したとき、
前記通知手段は、
前記メールピクト、ウェブ情報ピクト、またはステーション情報ピクトが点灯表示されていない場合は、前記ピクトを点灯表示し、
前記メールピクト、ウェブ情報ピクト、またはステーション情報ピクトが点灯表示されている場合は、
前記メールピクト、ウェブ情報ピクト、またはステーション情報ピクトのうち、前記受信した情報に対応するピクトを点灯表示から点滅表示へと移行させ、未読の情報がある場合に新たな電子メール、ウェブ情報、またはステーション情報を受信した旨を通知するとともに、
前記受信した情報の確認がなされたとき、またはピクト点滅開始から所定の時間が経過したときには、ピクトの点滅を停止して、前記メールピクト、ウェブ情報ピクト、またはステーション情報ピクトを点灯表示させる、
ことを特徴とする携帯電話機とした。
【０００６】
【発明の実施の形態】
次に図１乃至図５を参照して本発明による通信端末の実施の形態を詳細に説明する。ここで、図１は本発明の実施の形態である携帯電話機を示す機能ブロック図、図２は本発明の実施の形態である携帯電話機の表示部を表した図、図３乃至図５は本発明の実施の形態を説明するフローチャートである。
【０００７】
図１を参照すると、本発明の実施の形態である携帯電話機の機能ブロック図が示されている。同図において、アンテナが接続される送受信回路部１０は、移動通信端末における送受信処理を、ＣＰＵを内蔵した制御部１２に制御されることにより行う回路である。すなわち、送受信回路部１０は音声や文字メールまたは各種情報や制御信号等を変調してアンテナより送出したり、アンテナより受信した音声メールや文字メールまたは各種情報や制御信号等を復調して制御部１２に出力する。
【０００８】
制御部１２は、例えばフラッシュメモリ１４に記憶されたプログラムやデータに従って、キー操作部２４および送受信回路部１０からの制御信号により動作し、送受信回路部１０、表示部ドライバ１８および音声処理部２６を制御する。また、制御部１２はＲＡＭ１６に接続され、ＲＡＭ１６をフラッシュメモリ１４に記憶されたプログラムを実行するときのワークエリアとして使用する。フラッシュメモリ１４は、メールセンタから受信した文字メールや文字パターン（英、数字も含む）／アイコン（図形）などのフォント情報を記憶し、さらに電話帳メモリとしても使用され、複数の電話番号および氏名等を記憶する。さらに、カメラ４２で撮影し、画像処理部４０で処理した画像データもフラッシュメモリ１４に記憶される。
【０００９】
表示部ドライバ１８は制御部１２の制御に従って表示部２２を駆動してこれの表示を行う。すなわち、表示部ドライバ１８は、制御部１２からの制御信号に対応する文字パターン（英、数字も含む）やアイコン（図形）パターンをフラッシュメモリ１４から読み出し、表示部２２に表示する。音声処理部２６は、スピーカ２８およびマイク３０に接続され、制御部１２から入力した音声信号を増幅してスピーカ２８で出力したり、マイク３０で入力した音声信号を増幅して制御部１２に出力する処理を行う。
【００１０】
照明３２はキー押下時や着信時等に制御部１２によって点灯、消灯制御され、点灯するとキー操作部２４および表示部２２を明るく照明する。バイブレータ３４は制御部１２に接続され、この制御部１２の制御の下、着信時に振動してそれを知らせる。リンガ又はスピーカ３６は制御部１２によって制御され、着信時に鳴動してそれを知らせる。着信ＬＥＤ（着信発光ダイオード）３８は制御部１２に接続され、この制御部１２による制御の下、着信時等に点滅してそれを知らせる。
図２は本発明の実施の形態である携帯電話機の表示部２２を表した図である。同図はメール作成中の画面状態を表したものである。メール作成中の画面は、画面上部２０１・画面中央部２０７・画面下部２１１の３つの領域に大別される。
【００１１】
本実施の形態では画面上部２０１をピクト行と称す。ピクト行にはアンテナピクト２０３、メールピクト２０５ａ、ウェブ情報ピクト２０５ｂ、ステーション情報ピクト２０５ｃ等が表示される。アンテナピクト２０３は電波の受信強度を表すためのピクトである。メールピクト２０５ａは未読メールの有無を表し、ユーザが未読メールを全て確認するまで表示状態が続く。ウェブ情報ピクト２０５ｂは未読のウェブ情報の有無を表し、ユーザが未読のウェブ情報を全て確認するまで表示状態が続く。ステーション情報ピクト２０５ｃは未読のステーション情報の有無を表し、ユーザが未読のステーション情報を確認するまで表示状態が続く。
【００１２】
画面中央部２０７は主にメールの宛先・タイトル・本文等の編集に使用する。図２の場合、画面中央部２０７の１行目には「おはよう！今日も一日」と入力確定したときの状態が表示されている。画面中央部２０７の最終行には入力候補の文字が表示される。図２の場合、カーソル２０９のみ表示されており、入力候補の文字はない。さらに、本実施の形態では画面下部２１１をナビ行と称し、使用可能キーの名称、そのキーを押下したときの動作、入力モード等が表示される。
【００１３】
本発明の実施の形態である携帯電話機は、ユーザ操作中にバックグランド処理を要するイベントが発生し、その旨を通知している間に新たなバックグランド処理を要する新たなイベントが発生した場合にも、そのイベントの発生をも通知することができる。図２乃至図５を参照し、バックグラウンド処理として、メールの受信（１）〜ステーション情報の受信（３）を実行したときの説明を行う。
【００１４】
（１）ユーザ操作中にメールを受信したとき（図２及び図３参照）。
▲１▼ユーザ操作中（メール作成中）にバックグランド処理を要するイベント（メールの受信）が発生すると、ピクト行にメールピクト２０５ａを表示する。
▲２▼▲１▼で受信したメールを確認せず、メールの作成を続行し、その間に新たなバックグランド処理を要するイベントが発生した場合（新たなメールを受信した場合）、メールピクト２０５ａを点滅させる。
【００１５】
図３を参照しながら、ユーザ操作中にメールを受信したときの処理動作を説明する。本発明の実施の形態である携帯電話機は、ユーザ操作中にメールを受信すると（Ｓ３０１）、メールピクト２０５ａのピクト状態を判定する（Ｓ３０３）。
Ｓ３０３の結果、ピクト状態が「ピクト非表示中」になっている場合にはメールピクト２０５ａを表示して（Ｓ３０５）、ピクト状態を「ピクト表示中」する（Ｓ３０９）。
【００１６】
Ｓ３１１でユーザが新着メール（Ｓ３０１で受信したメール）を確認すれば、メールピクト２０５ａを消去して（Ｓ３１３）処理を終了する（Ｓ３２７）。
Ｓ３１１でユーザが新着メール（Ｓ３０１で受信したメール）を確認しなかった場合にはＳ３０９の処理に戻る。
Ｓ３０３の結果、ピクト状態が「ピクト表示中」になっている場合にはタイマを起動して（Ｓ３０７）、メールピクト２０５ａを点滅させる（Ｓ３１５）。
【００１７】
Ｓ３１７でユーザが新着メール（Ｓ３０１で受信したメール）その他未読メールを確認すれば、メールピクト２０５ａの点滅を停止して（Ｓ３１９）、メールピクト２０５ａを表示する（Ｓ３２３）。
そして、Ｓ３２５において、ユーザが未読メールを全て確認すればメールピクト２０５ａを消去して（Ｓ３１３）処理を終了する（Ｓ３２７）。一方、Ｓ３２５において、ユーザが確認していない未読メールがあれば、Ｓ３２３に戻ってメールピクト２０５ａを表示する（Ｓ３２３）。
【００１８】
一方、Ｓ３１７でユーザが新着メール（Ｓ３０１で受信したメール）も、その他の未読メールも確認せず、Ｓ３２１でタイムアウトになった場合にはメールピクト２０５ａの点滅を停止して（Ｓ３１９）、メールピクト２０５ａを表示する（Ｓ３２３）。Ｓ３２３以降の処理は前述したので省略する。Ｓ３２１でタイムアウトにならなかった場合にはメールピクト２０５ａを点滅させる処理（Ｓ３１５）に戻る。Ｓ３１５以降の処理は前述したので省略する。
【００１９】
（２）ユーザ操作中にウェブ情報を受信したとき（図２及び図４参照）。
▲１▼ユーザ操作中（メール作成中）にバックグランド処理を要するイベント（ウェブ情報の受信）が発生すると、ピクト行にウェブ情報ピクト２０５ｂを表示する。
▲２▼▲１▼で受信したウェブ情報を確認せず、メールの作成を続行し、その間に新たなバックグランド処理を要するイベントが発生した場合（新たなウェブ情報を受信した場合）、ウェブ情報ピクト２０５ｂを点滅させる。
ここで、上記のウェブ情報は、本発明の出願人による特許出願（特願２０００−２５９７７８）の願書に添付した明細書に記載している「ウェブ情報」を指す。
【００２０】
図４を参照しながら、ユーザ操作中にウェブ情報を受信したときの処理動作を説明する。本発明の実施の形態である携帯電話機は、ユーザ操作中にウェブ情報を受信すると（Ｓ４０１）、ウェブ情報ピクト２０５ｂのピクト状態を判定する（Ｓ４０３）。
Ｓ４０３の結果、ピクト状態が「ピクト非表示中」になっている場合にはウェブ情報ピクト２０５ｂを表示して（Ｓ４０５）、ピクト状態を「ピクト表示中」する（Ｓ４０９）。
Ｓ４１１でユーザが新着ウェブ情報（Ｓ４０１で受信したウェブ情報）を確認すれば、ウェブ情報ピクト２０５ｂを消去して（Ｓ４１３）処理を終了する（Ｓ４２７）。
【００２１】
Ｓ４１１でユーザが新着ウェブ情報（Ｓ４０１で受信したウェブ情報）を確認しなかった場合にはＳ４０９の処理に戻る。
Ｓ４０３の結果、ピクト状態が「ピクト表示中」になっている場合にはタイマを起動して（Ｓ４０７）、ウェブ情報ピクト２０５ｂを点滅させる（Ｓ４１５）。
Ｓ４１７でユーザが新着ウェブ情報（Ｓ４０１で受信したウェブ情報）その他未読ウェブ情報を確認すれば、ウェブ情報ピクト２０５ｂの点滅を停止して（Ｓ４１９）、ウェブ情報ピクト２０５ｂを表示する（Ｓ４２３）。
【００２２】
そして、Ｓ４２５において、ユーザが未読ウェブ情報を全て確認すればウェブ情報ピクト２０５ｂを消去して（Ｓ４１３）処理を終了する（Ｓ４２７）。一方、Ｓ４２５において、ユーザが確認していない未読ウェブ情報があれば、Ｓ４２３に戻ってウェブ情報ピクト２０５ｂを表示する（Ｓ４２３）。
【００２３】
一方、Ｓ４１７でユーザが新着ウェブ情報（Ｓ４０１で受信したウェブ情報）も、その他の未読ウェブ情報も確認せず、Ｓ４２１でタイムアウトになった場合にはウェブ情報ピクト２０５ｂの点滅を停止して（Ｓ４１９）、ウェブ情報ピクト２０５ｂを表示する（Ｓ４２３）。Ｓ４２３以降の処理は前述したので省略する。Ｓ４２１でタイムアウトにならなかった場合にはウェブ情報ピクト２０５ｂを点滅させる処理（Ｓ４１５）に戻る。Ｓ４１５以降の処理は前述したので省略する。
【００２４】
（３）ユーザ操作中にステーション情報を受信したとき（図２及び図５参照）。
▲１▼ユーザ操作中（メール作成中）にバックグランド処理を要するイベント（ステーション情報の受信）が発生すると、ピクト行にステーション情報ピクト２０５ｃを表示する。
▲２▼▲１▼で受信したステーション情報を確認せず、メールの作成を続行し、その間に新たなバックグランド処理を要するイベントが発生した場合（新たなステーション情報を受信した場合）、ステーション情報ピクト２０５ｃを点滅させる。
ここで、上記のステーション情報は、本発明の出願人による特許出願（特願２０００−２５９７７８）の願書に添付した明細書に記載している「ステーション情報」を指す。
【００２５】
図５を参照しながら、ユーザ操作中にステーション情報を受信したときの処理動作を説明する。本発明の実施の形態である携帯電話機は、ユーザ操作中にステーション情報を受信すると（Ｓ５０１）、ステーション情報ピクト２０５ｃのピクト状態を判定する（Ｓ５０３）。
Ｓ５０３の結果、ピクト状態が「ピクト非表示中」になっている場合にはステーション情報ピクト２０５ｃを表示して（Ｓ５０５）、ピクト状態を「ピクト表示中」する（Ｓ５０９）。
【００２６】
Ｓ５１１でユーザが新着ステーション情報（Ｓ５０１で受信したステーション情報）を確認すれば、ステーション情報ピクト２０５ｃを消去して（Ｓ５１３）処理を終了する（Ｓ５２７）。
Ｓ５１１でユーザが新着ステーション情報（Ｓ５０１で受信したステーション情報）を確認しなかった場合にはＳ５０９の処理に戻る。
Ｓ５０３の結果、ピクト状態が「ピクト表示中」になっている場合にはタイマを起動して（Ｓ５０７）、ステーション情報ピクト２０５ｃを点滅させる（Ｓ５１５）。
【００２７】
Ｓ５１７でユーザが新着ステーション情報（Ｓ５０１で受信したステーション情報）その他未読ステーション情報を確認すれば、ステーション情報ピクト２０５ｃの点滅を停止して（Ｓ５１９）、ステーション情報ピクト２０５ｃを表示する（Ｓ５２３）。
そして、Ｓ５２５において、ユーザが未読ステーション情報を全て確認すればステーション情報ピクト２０５ｃを消去して（Ｓ５１３）処理を終了する（Ｓ５２７）。一方、Ｓ５２５において、ユーザが確認していない未読ステーション情報があれば、Ｓ５２３に戻ってステーション情報ピクト２０５ｃを表示する（Ｓ５２３）。
【００２８】
一方、Ｓ５１７でユーザが新着ステーション情報（Ｓ５０１で受信したステーション情報）も、その他の未読ステーション情報も確認せず、Ｓ５２１でタイムアウトになった場合にはステーション情報ピクト２０５ｃの点滅を停止して（Ｓ５１９）、ステーション情報ピクト２０５ｃを表示する（Ｓ５２３）。Ｓ５２３以降の処理は前述したので省略する。Ｓ５２１でタイムアウトにならなかった場合にはステーション情報ピクト２０５ｃを点滅させる処理（Ｓ５１５）に戻る。Ｓ５１５以降の処理は前述したので省略する。
【００２９】
以上、本発明の実施の形態を説明したが、本発明は上記説明に限定されず、例えば、本実施の形態ではバックグラウンド処理を要するイベント（メール受信、ウェブ情報受信、ステーション情報受信）の通知をピクトを点滅させることにより行ったが（図３のＳ３１５、図４のＳ４１５、図５のＳ５１５）、着信音を鳴動させたり、バイブレータを振動させる等して通知することも可能である。
また、本実施の形態で用いたバックグラウンド処理を要するイベント（メール受信、ウェブ情報受信、ステーション情報受信）は一例に過ぎず、アラーム起動等のイベントが発生したときも同様の通知を行うことは明らかである。
【００３０】
【発明の効果】
このように、本発明によれば、端末状態に依らず、バックグランドで処理するイベントの発生をユーザに通知することのできる携帯電話機を提供することができる。
【図面の簡単な説明】
【図１】本発明の実施の形態である携帯電話機の機能ブロック図。
【図２】本発明の実施の形態である携帯電話機の表示部を表した図
【図３】本発明の実施の形態を説明するフローチャート。
【図４】本発明の実施の形態を説明するフローチャート。
【図５】本発明の実施の形態を説明するフローチャート。
【符号の説明】
１２  制御部
１４  フラッシュメモリ
１６  ＲＡＭ
２２  表示部
【図１】
0003931082.tif 000002
【図２】
0003931082.tif 000003
【図３】
0003931082.tif 000004
【図４】
0003931082.tif 000005
【図５】
0003931082.tif 000006